(57)【特許請求の範囲】
【請求項１】
放送受信装置のチャンネルブックマーキング法において、
選好される少なくとも一つのチャンネルをメモリが保存する段階と、
所定期限の間、前記保存されたチャンネルだけ選択可能に前記期限が設定される段階とを含むことを特徴とするチャンネルブックマーキング法。
【請求項２】
前記期限の設定は、
前記チャンネルが設定されて前記放送受信装置の電源がついている１セッションの間とすることを特徴とする請求項１に記載のチャンネルブックマーキング法。
【請求項３】
前記期限の設定は、
前記放送受信装置が任意に設定した期限とすることを特徴とする請求項１に記載のチャンネルブックマーキング法。
【請求項４】
前記期限の設定は、
開始時間にて終了時間を入力することにより設定されることを特徴とする請求項１に記載のチャンネルブックマーキング法。
【請求項５】
放送受信装置のチャンネルブックマーキングシステムにおいて、
ユーザからチャンネル選択及び保存のためのキー入力を受信するキー入力部と、
前記キー入力部を介して入力された一つ以上のユーザ選好チャンネルを記憶するメモリと、
ユーザが選択するまで前記メモリに保存されたチャンネル間だけを移動するチャンネル制御を行う制御部とを含み、
この時前記チャンネル制御は、所定期限の間だけ有効であり、所定期限が過ぎれば前記メモリがクリアされることを特徴とするチャンネルブックマーキングシステム。
【請求項６】
前記所定期限は、放送受信装置の電源がついている１セッションの間であることを特徴とする請求項５に記載のチャンネルブックマーキングシステム。
【請求項７】
前記期限の設定は、
前記放送受信装置が任意に設定した期限とすることを特徴とする請求項５に記載のチャンネルブックマーキングシステム。
【請求項８】
前記所定期限は、ユーザが前記キー入力部を介して入力した所定開始時間と終了時間の間とすることを特徴とする請求項５に記載のチャンネルブックマーキングシステム。
【請求項９】
前記キー入力部は、
キー保存されたチャンネルを解除するためのキー入力を受信することを特徴とする請求項５に記載のチャンネルブックマーキングシステム。
【請求項１０】
放送受信装置の放送チャンネルブックマーキング法において、
所定期限の間だけ保存されたチャンネルを選択する臨時チャンネルモードを前記放送受信装置が設定する段階と、
ユーザが前記臨時チャンネルモードを選択すれば、前記所定期限の間、ユーザが臨時チャンネルのうち１チャンネルを選択するまで前記臨時チャンネルモードのためにあらかじめ記憶したチャンネルを制御部が自動的に選択する段階とを含むことを特徴とする放送チャンネルブックマーキング法。
【請求項１１】
前記所定期限は前記臨時チャンネルが設定されて前記放送受信装置の電源がついている１セッションの間であることを特徴とする請求項１０に記載のチャンネルブックマーキング法。
【請求項１２】
前記期限の設定は、
前記放送受信装置が任意に設定した期限とすることを特徴とする請求項１０に記載のチャンネルブックマーキング法。
【請求項１３】
前記所定期限はユーザが入力した所定開始及び終了時間の間とすることを特徴とする請求項１０に記載のチャンネルブックマーキング法。
【請求項１４】
放送受信装置のチャンネルブックマーキング法において、
ユーザによるチャンネル検索のために、放送される全てのチャンネルを順に移動するように、制御部がチャンネル制御を行う段階と、
前記放送される全てのチャンネルに対して検索を終えて再検索がなされる時、所定期限の間、ユーザによって選択されたチャンネルの間だけを移動するように、制御部がチャンネル制御を行う段階とを含むことを特徴とするチャンネルブックマーキング法。
【請求項１５】
前記チャンネル検索は自動または手動でなされることを特徴とする請求項１４に記載のチャンネルブックマーキング法。
【請求項１６】
前記チャンネル再検索時、
選択されたチャンネルがユーザにより解除される段階がさらに含まれることを特徴とする請求項１４に記載のチャンネルブックマーキング法。
【請求項１７】
前記選択されたチャンネルは所定有効期間の間にだけ再検索されることを特徴とする請求項１４に記載のチャンネルブックマーキング法。
【請求項１８】
前記有効期間は前記チャンネルが選択されて電源がついている間であることを特徴とする請求項１７に記載のチャンネルブックマーキング法。
【請求項１９】
前記有効期間はユーザが設定した期間であることを特徴とする請求項１７に記載のチャンネルブックマーキング法。
【請求項２０】
前記有効期間は放送受信装置が自体的に決めることを特徴とする請求項１７に記載のチャンネルブックマーキング法。
【発明の詳細な説明】
【０００１】
【発明の属する技術分野】
本発明は放送チャンネル選択方法に係り、より詳細には放送受信機の電源がついている間ユーザがブックマーキングしたチャンネルだけ自動選局されるチャンネルブックマーキング法及びシステムに関する。
【０００２】
【従来の技術】
衛星を介したデジタル放送時代にさしかかりつつ、数多くのプログラムチャンネルがユーザに提供されている。長期的には現在よりさらに多くの放送プログラムが提供される見込みであり、かかる多チャンネル時代を迎えて放送チャンネル情報をあらかじめ提供してユーザのチャンネル選局への便宜を図るためのＥＰＧ（Ｅｌｅｃｔｒｏｎｉｃ Ｐｒｏｇｒａｍ Ｇｕｉｄｅ）サービスが導入されている。
【０００３】
ＥＰＧサービスの他に、放送受信装置（ＤＴＶやＳＴＢ）が自主的にチャンネル選択をより便利にするためのさまざまは方法が提供されている。例えば、ユーザに選好チャンネルを選択させ、選択されたチャンネルを保存し、その後からは選択されたチャンネルの中でだけチャンネルを移動させるチャンネル選局方式がある。かかる方法は、数多いチャンネルを一つ一つ移動せずにユーザがあらかじめ選択した選好チャンネルだけを移動しつつ、所望のチャンネルを選択させる。また、ユーザのチャンネル視聴時間をカウントして一定時間が累積されたチャンネルを選好チャンネルとして自動分類した後で保存し、今後それら選好チャンネルだけを移動しつつ、チャンネル選択をさせる方式も提供されている。
放送受信装置の前述のチャンネル選局方式では、チャンネルが一度設定されると、再び選好チャンネルを手動や自動で選択するまで設定されたチャンネル間でだけチャンネル移動をするようになっている。
【０００４】
例えば、ドラマと映画チャンネルを選好チャンネルに選択したユーザがある日に特定のスポーツイベントプログラムを視聴しようとする場合、スポーツイベントプログラムを放映するチャンネルは選好チャンネルとして選局されていないので、このユーザは該当スポーツイベントプログラムと他のチャンネルとを反復的に移動する時にリモコンなどのアップ／ダウン選択スイッチをいちいち押し、該当チャンネルを選択しなければならない。または、選好チャンネルのうちに該当スポーツチャンネルをさらに含めることもできる。それにより、ユーザはその日以後にも選好チャンネル内で普段好まないそのスポーツチャンネルを含んだチャンネル間をずっと移動するアクションや、また選好チャンネルから該当スポーツチャンネルを削除するアクションを取れねばならない。
【０００５】
【発明が解決しようとする課題】
本発明がなそうとする技術的課題は、一定時間の間だけ選好チャンネルとして設定され、そのチャンネル間を移動可能となるチャンネルブックマーキング法及びその構成を提供することである。
【０００６】
【課題を解決するための手段】
前記目的を達成するための、放送受信装置のチャンネルブックマーキング法は、選好する少なくとも一つのチャンネルを保存する段階と、所定期限の間、前記保存されたチャンネルだけ選択可能に前記期限を設定する段階とを含むことを特徴とする。
前記期限の設定は、前記チャンネルが設定されて前記放送受信装置の電源がついている１セッションの間であることが望ましい。
前記期限の設定は、前記放送受信装置が任意に設定した期限であることが望ましい。
前記期限の設定は、ユーザが開始時間にて終了時間を入力することにより設定されることを特徴とするチャンネルブックマーキング法である。
【０００７】
前記課題を解決するための、放送受信装置のチャンネルブックマーキング構成は、ユーザからチャンネル選択及び貯蔵のためのキー入力を受信するキー入力部と、前記キー入力部を介して入力された一つ以上のユーザ選好チャンネルを記憶するメモリと、ユーザが選択するまで前記メモリに保存されたチャンネル間だけを移動するチャンネル制御を行う制御部とを含み、この時前記チャンネル制御は所定期限の間だけ有効であり、所定期限が過ぎれば前記メモリがクリアされることが望ましい。
前記キー入力部は、キー保存されたチャンネルを解除したり削除するためのキー入力を受信することが望ましい。
【０００８】
前記課題を解決するための、放送受信装置の放送チャンネルブックマーキング法は、所定期限の間だけ有効な一部チャンネル間を移動する臨時チャンネルモードを設定する段階と、ユーザが前記臨時チャンネルモードを選択すれば、前記所定期限の間、ユーザがそのうち１チャンネルを選択するまで前記臨時チャンネルモードのためにあらかじめ記憶したチャンネル間を移動する段階とを含むことを特徴とする。
【０００９】
前記課題を解決するための放送受信装置のチャンネルブックマーキング法は、放送される全てのチャンネルを検索する段階と、前記検索のうち選好する少なくとも一つのチャンネルを選択する段階と、前記放送中である全てのチャンネルに対して検索を終えて再検索がなされる時、前記選択されたチャンネルだけ検索させる段階とを含むことを特徴とする。
前記チャンネル検索は自動または手動でなされることが望ましい。
前記チャンネル再検索時、選択されたチャンネルがユーザにより解除される段階がさらに含まれることが望ましい。
前記選択されたチャンネルは所定有効期間の間にだけ再検索されることが望ましい。
【００１０】
【発明の実施の形態】
以下、添付された図面を参照して本発明を詳細に説明する。
図１は本発明の放送受信及び再生装置のチャンネルブックマーキング構成の概略図である。チャンネルチューニング、チューニングしたチャンネルの放送受信及び受信された放送プログラムをディスプレイする放送受信及び再生装置は、チャンネルブックマーキングのためのキー入力部１００、第１メモリ１１０、第２メモリ１２０及びチャンネル選択制御部１３０を含む。
【００１１】
キー入力部１００はユーザからチャンネル選択及び貯蔵のためのキー入力を受けられる。ユーザはキー入力部１００に直接的にチャンネル選択と関連した各種命令を入力でき、またはリモコンなどの装置を利用して赤外線信号としてキー入力部１００にチャンネル選択関連命令を送れる。キー入力部１００はユーザに全チャンネル（選択）モード、選好チャンネル（選択）モード及び臨時チャンネル（選択）モードを提供できる。
【００１２】
第１メモリ１１０は、ユーザがキー入力部１００を介して選択した選好チャンネルを保存する。第１メモリ１１０に保存される選好チャンネルはユーザが全体チャンネルのうち選好する一部チャンネルを記憶するためのものであり、キー入力部１００の選好チャンネルモードが選択されれば、第１メモリ１１０に保存されたチャンネル間でだけチャンネル移動が行われる。
【００１３】
第２メモリ１２０は、ユーザがキー入力部１００を介して選択した臨時チャンネルを保存する。臨時チャンネルはユーザが所定期限内に一時的に自動選択するためのチャンネルであり、キー入力部１００の臨時チャンネルモードが選択される時、第２メモリ１２０に保存されたチャンネル間でだけチャンネル移動が行われる。
【００１４】
チャンネル選択制御部１３０は、キー入力部１００の入力によりチャンネルまたはチャンネル選択モードを移動及び選択し、選択モードにより第１メモリ１１０と第２メモリ１２０とに保存されたデータの読み出し如何を決定する。
【００１５】
以下にて、前記チャンネルブックマーキング構成によるチャンネル移動とその選択とについて説明する。
ユーザは、キー入力部１００を介して、放送受信及び再生装置で提供されうる全放送チャンネルを全て選択できる。例えば、チャンネル番号が１から１００まで提供される時、ユーザがキー入力部１００を介して一般的なチャンネル移動を命令すれば、チャンネルはアップ／ダウンキー操作により手動的に、あるいは所定時間の間隔で自動的に１→２→３→．．．→１００→１→．．．とユーザが１チャンネルを選択するまで順に移動する。これはキー入力部１００の「全チャンネルモード」時に行われるチャンネル移動方式である。
【００１６】
チャンネルが多い時には、それらチャンネルを全て移動することがユーザにとって不便に考えられうる。従って、ユーザはキー入力部１００が提供する「選好チャンネル選択モード」を介して、選好チャンネルを一つ以上選択し保存ができる。このように保存されたチャンネルはキー入力部１００を介してユーザが「選好チャンネルモード」を選択する時にチャンネル選択制御部１３０により読み出され、そのチャンネル間でだけチャンネル移動が行われる。例えば、ユーザが選好チャンネルとして選択したチャンネル番号が３、１０、２０、４１、５０、７０であるものが第１メモリ１１０に貯蔵されているとする。「選好チャンネルモード」時にキー入力部１００を通したアップ／ダウンキー操作によりチャンネルの移動はユーザがそのうち１チャンネルを選択するまで３→１０→２０→４１→５０→７０→２→．．．の順序やその反対の順序で順に移動する。
【００１７】
今まで説明された前記全チャンネルモードや選好チャンネルモードは現在のチャンネル選択方式に採択されて実施されている。
全チャンネルモードや選好チャンネルモードとは異なり、臨時チャンネルの指定はユーザが一般的に好まないが、特定の時間や日に集中的に選択しようとするチャンネルを臨時に記憶するためのものである。それら臨時チャンネルはキー入力部１００を介して選択された「臨時チャンネル選択モード」時にユーザにより選択されて第２メモリ１２０に保存される。貯蔵後キー入力部１００で「臨時チャンネルモード」が選択されれば、チャンネル選択制御部１３０は第２メモリ１２０に保存されたチャンネル間でチャンネル移動がなされる。
【００１８】
例えば、ユーザが指定して第２メモリ１２０に保存したチャンネルが４５、６７、８８ならば、そのうち１チャンネルがユーザにより選択されるまでチャンネルは手動的、あるいは自動的に４５→６７→８８→４５．．．の順序やその反対の順序で順に移動する。第２メモリ１２０の臨時チャンネルは所定期限の間にだけ保存され、それ以後には自動的に削除される。このために、前記チャンネルブックマーキング構成では所定期限を指定して記憶するための第３のメモリが含まれうる。前記所定期限は、前記臨時チャンネルが設定された間の電源オンセッションとして自動指定されたり、ユーザが所定開始及び終了時間を入力した場合にその開始と終了間の期間になりうる。
【００１９】
図２は、本発明の放送受信及び再生装置のチャンネルブックマーキング法のフローチャートである。
以下にて、図１と関連して図２を説明する。
まず、ユーザは放送受信及び再生装置のキー入力部１１０を介して選好する少なくとも一つ以上のチャンネルを選択し保存する（２００段階）。そして、所定モードにて前記選好チャンネルだけ選択されうる所定有効期限を設定する（２１０段階）。ここで、所定（有効）期限は、前記チャンネルが保存された間の電源オンセッションの間として設定されたり、ユーザにより設定された開始と終了時間の間の時間として決めることができる。ユーザがチャンネルを選択しようとする時、前記有効期間の間には前記選択されたチャンネル間だけを移動し、そのうちで１チャンネルが選択される（２２０段階）。
図２は、図１を参照した説明にて臨時チャンネルモードを設定する過程に関することである。
【００２０】
図３は、本発明のチャンネルブックマーキング法の詳細なフローチャートの例を示す。
まず、図１で説明された通り、「全チャンネル選択モード」、「選好チャンネル選択モード」及び「臨時チャンネル選択モード」がそれぞれユーザにより設定される（３００段階）。「臨時チャンネル選択モード」時には臨時チャンネルが選択可能な時間限度も設定される。時間限度はユーザにより選択的に入力されたり、現在臨時チャンネルモードが設定された電源オンセッション間と決まりうる。
【００２１】
現在のチャンネル運用（チャンネル移動）モードが臨時チャンネルモードであるか否かを判断し（３０２段階）、臨時チャンネルモードの場合（３０２段階で「はい」）、それと関連して設定された時間限度内であるか否かをチェックする（３０４段階）。設定された時間限度内ならば（３０４段階で「はい」）、設定された臨時チャンネル間を、ユーザのアップ／ダウンキー入力によって所定時間の間隔で自動移動している最中に（３０６段階）ユーザがそのうち１チャンネルを選択すれば（３０８段階で「はい」）、選択されたチャンネルの放送を受信してディスプレイする（３１０段階）。
【００２２】
選好チャンネルモードの場合（３１２段階で「はい」）、選好チャンネルとして設定されたチャンネル間を、ユーザアップ／ダウンキー入力によって所定時間の間隔で自動移動している最中に（３１４段階）ユーザがそのうち１チャンネルを選択すれば（３１６段階で「はい」）、選択されたチャンネルの放送を受信しディスプレイする（３１０段階）。
【００２３】
臨時チャンネルモードや選好チャンネルモードでなければ（３０２段階で「いいえ」、３１２段階で「いいえ」）、全チャンネルモードであるので、放送受信及び再生装置に提供される全チャンネルに対し、ユーザアップ／ダウンキー入力や自動時間の間隔によりチャンネル間を順に移動する（３１８段階）。チャンネル移動中にユーザが１チャンネルを選択すれば（３２０段階）、該当チャンネルの放送が受信されてディスプレイされる（３１０段階）。
【００２４】
図２の構成と関連した、本発明のチャンネルブックマーキング法の他の実施例を次の通り説明できる。
まず、ユーザはリモコンなどを利用し放送される全チャンネルを順に検索できる。この時、チャンネル検索はユーザがアップ／ダウンボタンを押さえるたびに１チャンネルから次のチャンネルに順々に移動したり、所定ボタンを一度押した後で装置で自動的に数秒間隔でチャンネル移動を順々に行える。検索されたチャンネルに対して次の検索時に再び見られるように所定キー入力ボタンを利用して選択を行える。選択されたチャンネルは一時的に貯蔵機能を有したバッファなどに保存される。放送される全チャンネルに対して検索を終えて再びチャンネル検索を行うためにアップ／ダウンボタンなどのチャンネル検索ボタンを押さえれば、以前検索のうち選択されてバッファに保存されたチャンネルだけが検索可能になる。
【００２５】
再検索過程では選択されたチャンネルの選択を解除するボタン機能がさらに追加されうる。チャンネル解除ボタンが押されれば、バッファに保存された該当チャンネルが消され、次のチャンネル検索時にそのチャンネルは検索対象チャンネルに含まれない。ユーザは所定有効期間を入力して前記バッファに保存されたチャンネルがその有効期間の間消されないでずっと検索可能チャンネルとして残っているようにすることができる。有効期間はユーザが設定したり、１電源オンセッションの間として決まったり、放送受信装置の所定期間設定機能により決まりうる。
【００２６】
かかるチャンネル選局方式により、ユーザは多チャンネル放送チャンネルが提供される時に所定期限に限って選択された選好チャンネルからチャンネル検索ができる。従って、選好するいくつかのチャンネルの間でだけでチャンネル検索が早くなされうる。
【００２７】
【発明の効果】
本発明により一定の期限の間にだけ選択可能なブックマーキングチャンネル設定方法及びそのシステムにより、チャンネル選局の効用性を高めてユーザの便宜を図れる。
【図面の簡単な説明】
【図１】  本発明の放送受信及び再生装置のチャンネルブックマーキング構成の概略図である。
【図２】  本発明の放送受信及び再生装置のチャンネルブックマーキング法のフローチャートである。
【図３】  本発明のチャンネルブックマーキング法の詳細なフローチャートの例である。
【符号の説明】
１００    キー入力部
１１０    第１メモリ
１２０    第２メモリ
１３０    チャンネル選択制御部
【図１】
0004459528.tif 000002
【図２】
0004459528.tif 000003
【図３】
0004459528.tif 000004